(57)【要約】【課題】宝石の係合手段が服飾の布地に引っ掛かって布地や指先等を傷つけるおそれがないため、何ら問題なく縫付け作業を行うことができる服飾に宝石を取付けるための止着構造の提供を目的とする。【解決手段】この考案の服飾に宝石を取付けるための止着構造は、服飾に宝石を取付けるための止着構造であって、周囲を側壁で囲まれた容器状の止め具本体と、止め具本体の一対の対向する側壁上に形成したアーチ状の係合片と、前記一対の対向する側壁に挟まれた一対の側壁の下部に形成した連結孔と、この連結孔にはめ込まれ、先端の幅もしくは径を大きくした抜止め部を止め具本体の側壁内部に係合して連結する連結体とを備え、止め具本体を服飾の適宜位置に前記連結孔を用いて縫付け、その上で止め具本体内に宝石をセットし、宝石上に前記アーチ状の係合片を伏せ込むことにより宝石を抜け止めすることを特徴とするものである。【選択図】図１
0003145492.tif 000002
【実用新案登録請求の範囲】
【請求項１】
服飾に宝石を取付けるための止着構造であって、周囲を側壁で囲まれた容器状の止め具本体と、止め具本体の一対の対向する側壁上に形成したアーチ状の係合片と、前記一対の対向する側壁に挟まれた一対の側壁の下部に形成した連結孔と、この連結孔にはめ込まれ、先端の幅もしくは径を大きくした抜止め部を止め具本体の側壁内部に係合して連結する連結体とを備え、止め具本体を服飾の適宜位置に前記連結孔を用いて縫付け、その上で止め具本体内に宝石をセットし、宝石上に前記アーチ状の係合片を伏せ込むことにより宝石を抜け止めすることを特徴とする服飾に宝石を取付けるための止着構造。
【請求項２】
前記連結体が、板状に形成されているとともに、端部の抜止め部を幅広に形成したことを特徴とする請求項１記載の服飾に宝石を取付けるための止着構造。
【請求項３】
前記止め具本体の対向する一対の側壁の下部に形成した連結孔が、当該側壁を他の側壁から延設された連結片を折込んで形成した下部に形成されていることを特徴とする請求項１または２に記載の服飾に宝石を取付けるための止着構造
【請求項４】
前記宝石が、いわゆる宝石や貴石のみならず、人造宝石、ガラス等を含み、必要に応じて所定のカットを施されていることを特徴とする請求項１ないし３のいずれかに記載の服飾に宝石を取付けるための止着構造。
【考案の詳細な説明】
【技術分野】
【０００１】
この考案は、上着やドレス、カーディガン等の服飾に宝石を取付けてより装飾性を高めて高級感を出したり、特徴のあるデザインを備えたものとするための服飾に宝石を取付けるための止着構造に関する。
【背景技術】
【０００２】
近年、上着やドレス、カーディガン等の服飾の適所に連鎖状に連結した宝石を取付けて、より装飾性を高めて高級感を出したり、また特徴のあるデザインを備えたものとする試みがなされている。
【０００３】
ちなみに、連鎖状に連結した宝石の例としては、特開２００７−２９６６４号公報（特許文献１参照）のような、平面視においてほぼ円形の開口部を有する容器形状を呈し、周壁は開口部へ連続しかつ当該開口部に向かって拡大する円錐状部を含み、前記開口部ヘ分散するように複数の宝石押え爪が形成された多数の宝石保持器と、宝石保持器相互を連鎖状に連結する多数の連結片とを備えたファセットカット宝石取付用チェーン状装身具が知られている。
【特許文献１】特開２００７−２９６６４号公報
【考案の開示】
【考案が解決しようとする課題】
【０００４】
しかしながら、前記従来の連鎖状に連結した宝石は、宝石の止着のために複数の宝石押え爪を使用しており、このような連鎖状に連結した宝石を上着やドレス、カーディガン等の服飾の適所に取付けた場合、前記宝石押え爪の先端が服飾の布地に引っ掛かって布地を傷つけてしまうという問題があった。
【０００５】
さらに、連鎖状に連結した宝石を服飾の適宜位置に縫付けようとすると、手作業の場合には指先に宝石押え爪の先端が突き当てられて痛いために作業がしづらく、また指先等を傷付けてしまうという問題点があり、機械的作業を導入した場合でも、前記宝石押え爪の先端が服飾の布地に引っ掛かって布地を傷つけてしまうという問題点は何ら解消されない。
【０００６】
この考案は、上記の不具合を解消して、前記宝石の係合手段が服飾の布地に引っ掛かって布地を傷つけてしまうことがなく、また連鎖状に連結した宝石を服飾の適宜位置に縫付ける場合でも前記宝石の係合手段が服飾の布地に引っ掛かって布地や指先等を傷つけるおそれがないため、何ら問題なく縫付け作業を行うことができる服飾に宝石を取付けるための止着構造の提供を目的とする。
【課題を解決するための手段】
【０００７】
上記の課題を解決するため、この考案の服飾に宝石を取付けるための止着構造は、服飾に宝石を取付けるための止着構造であって、周囲を側壁で囲まれた容器状の止め具本体と、止め具本体の一対の対向する側壁上に形成したアーチ状の係合片と、前記一対の対向する側壁に挟まれた一対の側壁の下部に形成した連結孔と、この連結孔にはめ込まれ、先端の幅もしくは径を大きくした抜止め部を止め具本体の側壁内部に係合して連結する連結体とを備え、止め具本体を服飾の適宜位置に前記連結孔を用いて縫付け、その上で止め具本体内に宝石をセットし、宝石上に前記アーチ状の係合片を伏せ込むことにより宝石を抜け止めすることを特徴とするものである。
【０００８】
この考案の服飾に宝石を取付けるための止着構造は、前記連結体が、板状に形成されているとともに、端部の抜止め部を幅広に形成したことをも特徴とするものである。
【０００９】
この考案の服飾に宝石を取付けるための止着構造は、前記止め具本体の対向する一対の側壁の下部に形成した連結孔が、当該側壁を他の側壁から延設された連結片を折込んで形成した下部に形成されていることを特徴とするものである。
【００１０】
この考案の服飾に宝石を取付けるための止着構造は、前記宝石が、いわゆる宝石や貴石のみならず、人造宝石、ガラス等を含み、必要に応じて所定のカットを施されていることをも特徴とするものである。
【考案の効果】
【００１１】
以上の説明から明らかなように、この考案の服飾に宝石を取付けるための止着構造では、前記アーチ状の係合片からなる宝石の係合手段が服飾の布地に引っ掛かって布地を傷つけてしまうことがなく、また連鎖状に連結した宝石を服飾の適宜位置に縫付ける場合でも前記宝石の係合手段が服飾の布地に引っ掛かって布地や指先等を傷つけるおそれがないため、何ら問題なく縫付け作業を行うことができる服飾に宝石を取付けるための止着構造を提供することが可能となった。
【００１２】
さらに、連鎖状に連結した宝石を服飾の適宜位置に縫付ける場合でも前記宝石の係合手段が服飾の布地に引っ掛かって布地や指先等を傷つけるおそれがないため、縫製作業がきわめて容易でかつ迅速に行うことができるようになり、大幅なコストダウンを図ることが可能となった。
【考案を実施するための最良の形態】
【００１３】
以下、この考案の服飾に宝石を取付けるための止着構造の実施の形態を、図面に基いて詳細に説明する。
図１はこの考案の服飾に宝石を取付けるための止着構造の１実施例を示し、組み付け段階を示す斜視図、図２はその縦断面図、図３はその平面図、図４はその横断面図、図５は止め具本体の展開図である。
【００１４】
この考案の１実施例に係る服飾に宝石を取付けるための止着構造は、図１ないし図４に示すように、周囲を側壁１２で囲まれた容器状の止め具本体１１と、先端の幅もしくは径を大きくした抜止め部１４を止め具本体１１の前記側壁１２内部に係合して連結する連結体１３とを備えている。
【００１５】
前記止め具本体１１を構成する側壁１２中の、一対の対向する側壁１２−１上にはアーチ状の係合片１５が形成してあり、該一対の対向する側壁１２−１に挟まれた一対の側壁１２−２の下部には連結孔１６が形成してある。
宝石２１は、容器状の止め具本体１１内にセットし、該宝石２１上に前記アーチ状の係合片１５を伏せ込むことによって抜け止めされている。なお、前記宝石２１のガードル（大径部）は止め具本体１１上端に係合し、アーチ状の係合片１５との間の隙間から突き出るよう保持されている。
【００１６】
前記止め具本体１１の対向する一対の側壁１２−２の下部に形成した連結孔１６は、図５に示すように、当該側壁１２−２を他の側壁１２−１から延設した１／２連結片３１−１，３１−２を折込んで形成するとともに、該１／２連結片３１−１，３１−２で構成される側壁１２−２の下部に形成されている。
前記連結体１３は、端部をこの連結孔１６にはめ込まれ、先端の幅もしくは径を大きくした抜止め部１４を止め具本体１１の側壁１２−２側内壁に係合させて連結するようになっている。
【００１７】
また、前記連結体１３は板状に形成されており、両端部を幅広に形成することによって抜止め部１４としたものであるが、前記連結体１３を棒状に形成し、両端部に膨頭部を形成して抜止め手段とすることもできる。
【００１８】
この考案の服飾に宝石を取付けるための止着構造において使用される宝石２１は、いわゆる天然の宝石や貴石のみならず、人造宝石、ガラス等を含み、必要に応じて所定のカットを施されていてもよい。２２は宝石２１のパビリオン（下半部）に形成した反射膜であり、宝石２１の輝きをより高めるためのものである。
また、宝石を色付きのものとし、宝石を種々の組合せで用いることにより、よりファッション性に富んだ製品を得ることができる。
【００１９】
なお、この考案は上記実施形態に限定されるものではなく、この考案の範囲内で上記実施形態に多くの修正及び変更を加え得ることは勿論である。
【産業上の利用可能性】
【００２０】
以上の説明から明らかなように、この考案の服飾に宝石を取付けるための止着構造は、服飾に直接取り付ける飾りとしてのみならず、予めアップリケのように宝石を取り付けておき、その上で服飾に取り付けるものとしても使うことができる。
【図面の簡単な説明】
【００２１】
【図１】この考案の服飾に宝石を取付けるための止着構造の１実施例を示し、組み付け段階を示す斜視図である。
【図２】その縦断面図である。
【図３】その平面図である。
【図４】その横断面図である。
【図５】止め具本体の展開図である。
【符号の説明】
【００２２】
１１  止め具本体
１２  側壁
１２−１，１２−２  一対の対向する側壁
１３  連結体
１４  抜止め部
１５  アーチ状の係合片
１６  連結孔
２１  宝石
２２  反射膜
３１−１，３１−２  １／２連結片
【図１】
0003145492.tif 000003
【図２】
0003145492.tif 000004
【図３】
0003145492.tif 000005
【図４】
0003145492.tif 000006
【図５】
0003145492.tif 000007